(57)【要約】  【課題】  対応テーブルの形成に多くの時間と手間が掛からず、対応テーブルの検索時間を短縮できる漢字氏名のふりがな取得装置を提供する。  【解決手段】  漢字氏名入力部３と、４つのテーブル２（１）〜２（４）を格納する記憶部２と、入力漢字氏名に対し同字テーブル２（１）により対応同字を設定する同字再設定処理部４と、同字設定した漢字氏名に対し姓名マスタテーブル２（２）によりふりがな判定をする姓名マスタ判定処理部５と、姓名マスタ判定処理部５でふりがな判定ができない場合、漢字氏名に対し名乗りテーブル２（３）により単一漢字別に暫定かな氏名を取得する暫定かな氏名取得処理部６と、取得した暫定かな氏名に対しかなマスタテーブル２（４）によりふりがな判定するかなマスタ判定処理部７を備え、姓名マスタ判定処理部５またはかなマスタ判定処理部７から漢字氏名のふりがなを取得する。  【選択図】  図１
2006155213.tif 000002
【特許請求の範囲】
【請求項１】
ふりがなを付与する漢字氏名を入力する入力手段と、元漢字及びその通用漢字を有する単一の氏名漢字別に、元漢字とその通用漢字とを対応させて一覧形成した同字テーブル、氏名漢字に使用される氏名別に、性別と付与可能なかな文字と出現数とを対応させて一覧形成した姓名マスタテーブル、氏名漢字に使用できる単一漢字別に、その漢字に付与可能なかな文字例とを対応させて一覧形成した名乗りテーブル、氏名別に、性別と付与可能なかな文字と出現数とを対応させて一覧形成したかなマスタテーブルをそれぞれ格納する記憶部と、前記入力手段で入力した漢字氏名に対して前記同字テーブルを参照して対応同字を設定処理する同字再設定処理部と、前記同字再設定処理部で処理した漢字氏名に対して前記姓名マスタテーブルを参照して当該漢字氏名に該当するふりがなを判定処理する姓名マスタ判定処理部と、前記姓名マスタ判定処理部でふりがなの判定処理ができなかった場合、当該漢字氏名に対して前記名乗りテーブルを参照して単一漢字別に暫定かな氏名を取得処理する暫定かな氏名取得処理部と、前記氏名取得処理部で取得した暫定かな氏名に対して前記かなマスタテーブルを参照してそのふりがなを判定処理するかなマスタ判定処理部とを備え、前記姓名マスタ判定処理部または前記かなマスタ判定処理部から当該漢字氏名に付与するふりがなを取得することを特徴とする漢字氏名のふりがな取得装置。
【請求項２】
請求項１に記載の漢字氏名のふりがな取得装置を用いて対象漢字氏名のふりがなを取得する漢字氏名のふりがな取得方法であって、当該漢字氏名に対して前記同字テーブルを参照して元漢字を通用漢字に変換する第１ステップと、当該漢字氏名に対して前記姓名マスタテーブルを参照して前記変換された漢字氏名に該当するふりがなを取得する第２ステップと、前記第２ステップにおいて当該漢字氏名に該当するふりがなが取得できない場合、当該漢字氏名に対して前記名乗りテーブルを参照して単一漢字別にそのふりがなを取得し、取得した当該漢字氏名のふりがなの全てを暫定ふりがな候補とする第３ステップと、当該漢字氏名に対して前記かなマスタテーブルを参照して前記第３ステップで得られた全ての暫定ふりがな候補の中から最も選択回数が多いふりがなを取得する第４ステップとを経ることにより当該漢字氏名のふりがなを取得するようにしたこと特徴とする漢字氏名のふりがな取得方法。
【発明の詳細な説明】
【技術分野】
【０００１】
本発明は、漢字氏名のふりがな取得装置及びその取得方法に係り、特に、対象とする漢字氏名に対してその漢字氏名に付与すべきふりがなを自動的に取得することができる漢字氏名のふりがな取得装置及びその取得方法に関する。
【背景技術】
【０００２】
近年、インターネット等を用いて各種の情報処理が行われるようになり、ユーザがその情報処理を利用する場合には、ユーザ登録をする必要がある。このとき、ユーザ登録される個人情報としては、ユーザの漢字氏名とその漢字氏名を表すふりがなとを合わせて登録することが要求されることが多く、かかるユーザ登録を行う際には、通常、ユーザによってユーザの漢字氏名とそのふりがなとを入力する必要があり、ユーザにとっては手間のかかる入力操作を行わねばならない。
【０００３】
このようなユーザ登録時の入力操作の負担を軽減するために、ユーザが自己の漢字氏名を入力すれば、入力した漢字氏名をかなに変換し、それによって得られたかなを当該漢字氏名のふりがなとして自動的に設定するようにしたふりがな付与装置が提案されており、その一例として特開平１１−３９２９８号公報に開示されたふりがな制御装置や特開平０９−１９０４３２号公報に開示されたふりがな付与装置がある。
【０００４】
この場合、特開平１１−３９２９８号公報に開示されたふりがな制御装置は、ふりがなを付与すべき対象文字列に対してそのふりがな及びその文字列の難読レベルを表わすふりがなランクを格納したふりがなランクテーブルと、ふりがなを付与すべき対象文字列に対してそのふりがな及びその文字列の難読度をユーザ毎にランク付けしたユーザテーブルとを設け、ふりがな情報付きテキストをふりがな情報とふりがなを除いたテキストとに分割し、ふりがな情報の対象文字列に対するテキスト中の位置及びふりがなを格納したふりがなテーブルを作成し、ふりがな対象文字列を選択し、この選択したふりがな対象文字列とそのふりがなの各組とをテキストに合成することにより、ふりがな付きテキストを形成するようにしたものである。
【０００５】
また、特開平０９−１９０４３２号公報に開示されたふりがな付与装置は、それぞれの漢字に対してその読み情報が記憶された読み記憶手段と、与えられた漢字に対してその読みを読み記憶手段の記憶情報を参照して検索する検索手段と、検索手段で得られた検索結果を表示部に表示させる表示制御手段と、表示部に表示された検索結果の中の読みを確定する確定指示手段と、確定指示手段で確定した読み情報を対応する漢字とともに記憶する結果記憶手段とを具備し、結果記憶手段に漢字とその読み情報とを格納するようにしたものである。
【特許文献１】特開平１１−３９２９８号公報
【特許文献２】特開平０９−１９０４３２号公報
【発明の開示】
【発明が解決しようとする課題】
【０００６】
前記特開平１１−３９２９８号公報や前記特開平０９−１９０４３２号公報に開示されているふりがな付与装置は、いずれも対象とする漢字を入力すれば、自動的にその漢字に適したふりがなが付与されるものであるが、いずれのものも、ふりがな付与に使用される漢字−ふりがな対応テーブルの内容が複雑であり、このような漢字−ふりがな対応テーブルを形成する場合に、多くの時間と手間が必要になるだけでなく、漢字−ふりがな対応テーブルの検索時においても、その検索時間が長くなってしまう可能性がある。
【０００７】
本発明は、このような技術的背景に鑑みてなされたもので、その目的は、漢字−ふりがな対応テーブルの形成に多くの時間と手間を必要とすることがなく、しかも、漢字−ふりがな対応テーブルの検索時間を短縮することが可能な漢字氏名のふりがな取得装置及びその取得方法を提供することにある。
【課題を解決するための手段】
【０００８】
前記目的を達成するために、本発明による漢字氏名のふりがな取得装置は、ふりがなを付与する漢字氏名を入力する入力手段と、元漢字及びその通用漢字を有する単一の氏名漢字別に、元漢字とその通用漢字とを対応させて一覧形成した同字テーブル、氏名漢字に使用される氏名別に、性別と付与可能なかな文字と出現数とを対応させて一覧形成した姓名マスタテーブル、氏名漢字に使用できる単一漢字別に、その漢字に付与可能なかな文字例とを対応させて一覧形成した名乗りテーブル、氏名別に、性別と付与可能なかな文字と出現数とを対応させて一覧形成したかなマスタテーブルをそれぞれ格納する記憶部と、入力手段で入力した漢字氏名に対して同字テーブルを参照して対応同字を設定処理する同字再設定処理部と、同字再設定処理部で処理した漢字氏名に対して姓名マスタテーブルを参照して当該漢字氏名に該当するふりがなを判定処理する姓名マスタ判定処理部と、姓名マスタ判定処理部でふりがなの判定処理ができなかった場合、当該漢字氏名に対して名乗りテーブルを参照して単一漢字別に暫定かな氏名を取得処理する暫定かな氏名取得処理部と、氏名取得処理部で取得した暫定かな氏名に対してかなマスタテーブルを参照してそのふりがなを判定処理するかなマスタ判定処理部とを備え、姓名マスタ判定処理部またはかなマスタ判定処理部から当該漢字氏名に付与するふりがなを取得する第１の手段を具備する。
【０００９】
また、前記目的を達成するために、本発明による漢字氏名のふりがな取得方法は、前記漢字氏名のふりがな取得装置を用いて対象漢字氏名のふりがなを取得するものであって、当該漢字氏名に対して同字テーブルを参照して元漢字を通用漢字に変換する第１ステップと、当該漢字氏名に対して姓名マスタテーブルを参照して変換された漢字氏名に該当するふりがなを取得する第２ステップと、第２ステップにおいて当該漢字氏名に該当するふりがなが取得できない場合、当該漢字氏名に対して名乗りテーブルを参照して単一漢字別にそのふりがなを取得し、取得した当該漢字氏名のふりがなの全てを暫定ふりがな候補とする第３ステップと、当該漢字氏名に対してかなマスタテーブルを参照して第３ステップで得られた全ての暫定ふりがな候補の中から最も選択回数が多いふりがなを取得する第４ステップとを経ることにより当該漢字氏名のふりがなを取得するようにした第２の手段を具備する。
【発明の効果】
【００１０】
本発明によれば、漢字−ふりがな対応テーブルとして、元漢字及びその通用漢字を有する単一の氏名漢字別に、元漢字とその通用漢字とを対応させて一覧形成した同字テーブル、氏名漢字に使用される氏名別に、性別と付与可能なかな文字と出現数とを対応させて一覧形成した姓名マスタテーブル、氏名漢字に使用できる単一漢字別に、その漢字に付与可能なかな文字例とを対応させて一覧形成した名乗りテーブル、氏名別に、性別と付与可能なかな文字と出現数とを対応させて一覧形成したかなマスタテーブルを使用しており、それらのテーブルに格納される情報内容には、それぞれのユーザに特有な情報や特別に編集しないと得られないような情報が含まれていないので、テーブルの形成に多くの時間と手間を必要としないだけでなく、それらのテーブルを検索する検索時間を短縮することが可能になり、結果的に製造コストが安価になるという効果がある。
【発明を実施するための最良の形態】
【００１１】
以下、図面を参照して本発明の実施の形態について説明する。
【００１２】
図１は、本発明の実施の形態に係るもので、漢字氏名のふりがな取得装置の要部構成を示すブロック図である。
【００１３】
図１に示されるように、この漢字氏名のふりがな取得装置は、制御部（ＣＰＵ）１と、記憶部２と、入力部３と、同字再設定処理部４と、姓名マスタ判定処理部５と、暫定かな氏名取得処理部６と、かなマスタ判定処理部７と、表示部８と、出力部９とからなっている。また、記憶部２は、同字テーブル２（１）と、姓名マスタテーブル２（２）と、名乗りテーブル２（３）と、かなマスタテーブル２（４）とを格納している。
【００１４】
そして、記憶部２において、同字テーブル２（１）、姓名マスタテーブル２（２）、名乗りテーブル２（３）、かなマスタテーブル２（４）はそれぞれ制御部１に接続される。入力部３は同字再設定処理部４に接続され、同字再設定処理部４は、姓名マスタ判定処理部５と制御部１に接続される。姓名マスタ判定処理部５は暫定かな氏名取得処理部６と制御部１に接続され、暫定かな氏名取得処理部６はかなマスタ判定処理部７と制御部１に接続される。マスタ判定処理部７は制御部１に接続され、表示部８は制御部１に接続され、出力部９は制御部１に接続される。
【００１５】
次に、図２（ａ）乃至（ｄ）は、それぞれ、同字テーブル２（１）、姓名マスタテーブル２（２）、名乗りテーブル２（３）、かなマスタテーブル２（４）における格納内容を表わした説明図であって、（ａ）は同字テーブル２（１）の内容、（ｂ）は姓名マスタテーブル２（２）の内容、（ｃ）は名乗りテーブル２（３）の内容、（ｄ）はかなマスタテーブル２（４）の内容を示し、図示のものはそれぞれ格納内容の極く一部を示すものである。
【００１６】
図２（ａ）に示されるように、同字テーブル２（１）は、元漢字及びその通用漢字を有する単一の氏名漢字別に、元漢字とその通用漢字、この場合、元漢字の「靜」、「惠」に対してその通用漢字の「静」、「恵」を対応させて一覧形成したものである。また、図２（ｂ）に示されるように、姓名マスタテーブル２（２）は、氏名漢字に使用される氏名別に、この場合、氏名区分１の「高橋」と氏名区分２の「和子」に対して、性別と付与可能なかな文字と出現数とを対応させて一覧形成したものである。さらに、図２（ｃ）に示されるように、名乗りテーブル２（３）は、氏名漢字に使用できる単一漢字別に、この場合、「安」、「璃」、「珠」に対してその漢字に付与可能なかな文字例とを対応させて一覧形成したものである。また、図２（ｄ）に示されるように、かなマスタテーブル２（４）は、氏名別に、この場合、氏名区分１の「タカハシ」と氏名区分２の「ヒロミ」に対して、性別と付与可能なかな文字と出現数とを対応させて一覧形成したものである。
【００１７】
次いで、図３は、この漢字氏名のふりがな取得装置の動作経緯を説明するための要部構成図である。なお、図３においては、図１に示された構成要素と同じ構成要素については同じ符号を付けている。
【００１８】
ここで、図３に示された要部構成図を用い、当該漢字氏名のふりがな取得装置の動作経緯の概要について説明する。
【００１９】
いま、入力部３においてふりがな付与の対象となる漢字氏名が入力されると、入力された漢字氏名は同字再設定処理部４に伝送供給される。同字再設定処理部４は、漢字氏名が供給されると、制御部１の制御により同字テーブル２（１）の内容を参照し、当該漢字氏名の中に同字テーブル２（１）の元漢字に該当する漢字があった場合、その漢字を同字テーブル２（１）の当該元漢字に対応する通用漢字に置き換える処理を行う。そして、この元漢字から通用漢字への置き換え処理は、当該漢字氏名の全部の漢字について行い、通用漢字で形成した漢字氏名を得る。このようにして得られた漢字氏名は姓名マスタ判定処理部５に伝送供給される。
【００２０】
姓名マスタ判定処理部５は、漢字氏名が供給されると、制御部１の制御により姓名マスタテーブル２（２）の内容を参照し、姓名マスタテーブル２（２）において当該漢字氏名に付与されたふりがなの中から出現数等に基づいて当該漢字氏名に該当するふりがな氏名を選択できた場合、その選択したふりがな氏名を取得し、取得したふりがな氏名は、制御部１の制御により当該漢字氏名とともに表示部８や出力部９に伝送供給され、一方、当該漢字氏名に該当するふりがな氏名を選択できず、ふりがな氏名を取得できない場合、当該漢字氏名だけがを制御部１の制御により暫定かな氏名取得処理部６に伝送供給される。
【００２１】
暫定かな氏名取得処理部６は、漢字氏名が供給されると、制御部１の制御により名乗りテーブル２（３）の内容を参照し、当該漢字氏名を単一漢字に分割し、分割した１つの漢字毎に、名乗りテーブル２（３）に格納されている同一漢字に付されている全てのふりがなを取得する。そして、当該漢字氏名についての全ての漢字におけるふりがなの取得が行われた場合、取得したふりがなをそれぞれ組み合わせ、複数の当該漢字氏名の暫定かな氏名を形成する。このようにして形成された暫定かな氏名は当該漢字氏名とともにかなマスタ判定処理部７に伝送供給される。
【００２２】
かなマスタ判定処理部７は、暫定かな氏名が供給されると、制御部１の制御によりかなマスタテーブル２（４）の内容を参照し、複数の暫定かな氏名の中から出現数等に基づいて当該漢字氏名に該当するふりがな氏名を選択し、選択したふりがな氏名を取得する。このようにして取得したふりがな氏名は、制御部１の制御により当該漢字氏名とともに表示部８や出力部９に伝送供給される。
【００２３】
続いて、図４乃至図７は、同字再設定処理部４、姓名マスタ判定処理部５、暫定かな氏名取得処理部６、かなマスタ判定処理部７でそれぞれ実行される具体的な動作経緯を示すフローチャートである。
【００２４】
そこで、始めに、図４に図示されたフローチャートに従って同字再設定処理部４で実行される具体的な動作経緯について説明する。
【００２５】
まず、ステップＳ１において、同字再設定処理部４は、入力部３で入力され、ふりがな付与の対象となる漢字氏名を漢字氏名項目データの形で取得する。
【００２６】
続く、ステップＳ２において、同字再設定処理部４は、取得した漢字氏名項目データの全部について同字再設定処理が終了したか否かを判断する。そして、既に当該同字再設定処理が終了したと判断した（Ｙ）ときは、この一連の同字再設定処理を終了させ、一方、未だ当該同字再設定処理が終了していないと判断した（Ｎ）ときは次のステップＳ３に移行する。なお、この一連の同字再設定処理が終了したときには、図４の実行例に示されるように、元漢字の「靜」、「惠」をそれぞれ通用漢字の「静」、「恵」に置き換えたものになり、置き換えた漢字氏名を表わす漢字氏名項目データが姓名マスタ判定処理部５に伝送供給される。
【００２７】
続く、ステップＳ３において、同字再設定処理部４は、制御部１の制御の基に同字テーブル２（１）の内容を参照し、同字テーブル２（１）の内容を読み込む。
【００２８】
続く、ステップＳ４において、同字再設定処理部４は、読み込んだ同字テーブル２（１）の内容の中に、当該漢字氏名に該当する元漢字に一致する漢字があるか否かを判断する。そして、元漢字に一致する漢字があったと判断した（Ｙ）ときは、次のステップＳ５に移行し、元漢字に一致する漢字がなかったと判断した（Ｎ）ときは、前のステップＳ３の戻り、再びステップＳ３以降の処理が実行される。
【００２９】
続く、ステップＳ５において、同字再設定処理部４は、当該漢字氏名の中の同字テーブル２（１）に一致する元漢字をそれに対応する通用漢字に置き換えた漢字氏名項目データを形成し、この漢字氏名項目データが形成されると、前のステップＳ２の戻り、再びステップＳ３以降の処理が実行される。
【００３０】
次に、図５に図示されたフローチャートに従って姓名マスタ判定処理部５で実行される具体的な動作経緯について説明する。
【００３１】
まず、ステップＳ１１において、姓名マスタ判定処理部５は、同字再設定処理部４で同字再処理したふりがな付与の対象となる漢字氏名を漢字氏名項目データの形で取得する。
【００３２】
続く、ステップＳ１２において、姓名マスタ判定処理部５は、取得した漢字氏名項目データを用いて姓名マスタ検索用キーを作成する。このとき、漢字氏名項目データの中に付加情報として性別が指定されてある場合は男女の性別１、２を姓名マスタ検索用キーとし、性別が指定されていない場合は性別を３とした姓名マスタ検索用キーを作成する。
【００３３】
続く、ステップＳ１３において、姓名マスタ判定処理部５は、制御部１の制御の基に姓名マスタテーブル２（２）の内容を参照し、姓名マスタテーブル２（２）の内容を読み込む。
【００３４】
続く、ステップＳ１４において、姓名マスタ判定処理部５は、読み込んだ姓名マスタテーブル２（２）の内容の中に作成した姓名マスタ検索用キーのレコードと同一のものの取得が終了したかまたはなかったか否かを判断する。そして、姓名マスタ検索用キーのレコードと同一のものの取得を終了したまたは既になくなっいたと判断した（Ｙ）ときは１つのステップＳ１６に移行し、一方、姓名マスタ検索用キーのレコードと同一のものの取得が終了していないまたはまだ残っていると判断したとき（Ｎ）はもう１つのステップＳ１５に移行する。
【００３５】
続く、ステップＳ１５において、姓名マスタ判定処理部５は、姓名マスタテーブル２（２）の内容の中に作成した姓名マスタ検索用キーのレコードと同一のものが存在した場合、図５の実行例の姓名マスタに示されるように、その姓名マスタ上のかな氏名と出現数とをそれぞれ所得し、この処理が行われと、前のステップＳ１３に戻り、再びステップＳ１３以降の処理が行われる。
【００３６】
また、ステップＳ１６において、姓名マスタ判定処理部５は、取得したかな氏名が０件であるか否かを判断する。そして、取得したかな氏名が０件であると判断した（Ｙ）ときは、この一連の姓名マスタ判定処理を終了させて漢字氏名項目データを暫定かな氏名取得処理部６に伝送供給させ、一方、取得したかな氏名が１件以上あると判断した（Ｎ）ときは、次のステップＳ１７に移行する。
【００３７】
続く、ステップＳ１７において、姓名マスタ判定処理部５は、取得したかな氏名の出現数をその降順に並べ替え、かな氏名候補の優先順位を設定し、このとき設定した最も優先順位の高いかな氏名を当該漢字氏名に付与されるかな氏名に決定する。そして、当該漢字氏名に付与されるかな氏名が決定されれば、そのかな氏名を当該漢字氏名とともに表示部８または出力部９に供給し、この一連の姓名マスタ判定処理を終了させる。
【００３８】
次いで、図６に図示されたフローチャートに従って暫定かな氏名取得処理部６で実行される具体的な動作経緯について説明する。
【００３９】
まず、ステップＳ２１において、暫定かな氏名取得処理部６は、姓名マスタ判定処理部５からふりがな付与の対象となる通用漢字に置き換えた漢字氏名を漢字氏名項目データの形で取得する。
【００４０】
続く、ステップＳ２２において、暫定かな氏名取得処理部６は、ふりがな付与の対象となる漢字氏名についての１字づつのふりがな付与が全て終了したか否かを判断する。そして、漢字氏名についての１字づつのふりがな付与が既に全て終了したと判断した（Ｙ）ときは１つのステップＳ２６に移行し、一方、漢字氏名についての１字づつのふりがな付与が未だ終了していないと判断したとき（Ｎ）はもう１つのステップＳ２３に移行する。
【００４１】
続く、ステップＳ２３において、暫定かな氏名取得処理部６は、制御部１の制御の基に名乗りテーブル２（３）の内容を参照し、名乗りテーブル２（３）の内容を読み込む。
【００４２】
続く、ステップＳ２４において、暫定かな氏名取得処理部６は、漢字氏名についての１字づつの漢字が名乗りテーブル２（３）に格納されている漢字と同じ漢字であるか否かを判断する。そして、同じ漢字であると判断した（Ｙ）ときは次のステップＳ２５に移行し、一方、同じ漢字でないと判断した（Ｎ）ときは前のステップＳ２３に戻り、再びステップＳ２３以降の処理が実行される。
【００４３】
続く、ステップＳ２５において、暫定かな氏名取得処理部６は、名乗りテーブル２（３）に格納されている当該漢字氏名の１つの漢字と同じ漢字について名乗り情報が複数存在する場合、それら複数の名乗り情報の全てを暫定かな候補として取得する。そして、暫定かな候補が取得された場合、前のステップＳ２２に戻り、再びステップＳ２２以降の処理が行われる。
【００４４】
また、ステップＳ２６において、暫定かな氏名取得処理部６は、取得したそれぞれの暫定かな候補を組み合わせて用いることにより、当該漢字氏名に付与されるかな氏名として、図６の実行例の暫定かな一覧に示されるように、多くの暫定かな氏名を作成する。そして、作成された多くの暫定かな氏名は当該漢字氏名とともにかなマスタ判定処理部７に伝送供給され、この一連の暫定かな氏名取得処理を終了させる。
【００４５】
続いで、図７に図示されたフローチャートに従ってかなマスタ判定処理部７で実行される動作の具体的な動作経緯について説明する。
【００４６】
まず、ステップＳ３１において、かなマスタ判定処理部７は、暫定かな氏名取得処理部６からふりがな付与の対象となる通用漢字に置き換えた漢字氏名を漢字氏名項目データの形で取得するとともに、多くの暫定かな氏名を暫定かなデータの形で取得する。
【００４７】
続く、ステップＳ３２において、かなマスタ判定処理部７は、取得した多くの暫定かなデータのそれぞれについての処理が終了したか否かを判断する。そして、多くの暫定かなデータのそれぞれについての処理が既に終了していると判断した（Ｙ）ときは１つのステップＳ３５に移行し、一方、多くの暫定かなデータのそれぞれについての処理が未だ終了していないと判断した（Ｎ）ときは他の１つのステップＳ３３に移行する。
【００４８】
続く、ステップＳ３３において、かなマスタ判定処理部７は、制御部１の制御の基にかなマスタテーブル２（４）の内容を参照し、かなマスタテーブル２（４）の内容を読み込む。
【００４９】
続く、ステップＳ３４において、かなマスタ判定処理部７は、多くの暫定かな氏名データを用いてそれぞれのデータの出現数を取得する。そして、この取得が行われると、前のステップＳ３２に移行し、再度ステップＳ３２以降の処理が行われる。
【００５０】
また、ステップＳ３５において、かなマスタ判定処理部７は、暫定かな氏名データの処理が終了した時点で、その出現数を降順に並べ替えて、図７の実行例のカナマスタに示されるように、かな氏名候補の優先順位を設定し、このとき設定した最も優先順位の高いかな氏名を当該漢字氏名に付与されるかな氏名に決定する。そして、当該漢字氏名に付与されるかな氏名が決定されると、そのかな氏名を当該漢字氏名とともに表示部８または出力部９に供給し、この一連のかなマスタ判定処理を終了させる。
【図面の簡単な説明】
【００５１】
【図１】本発明の実施の形態に係るもので、漢字氏名のふりがな取得装置の要部構成を示すブロック図である。
【図２】同字テーブル、姓名マスタテーブル、名乗りテーブル、かなマスタテーブルにおける格納内容を表わす説明図である。
【図３】図１に図示した漢字氏名のふりがな取得装置の動作経緯を説明するための要部構成図である。
【図４】同字再設定処理部で実行される具体的な動作経緯を示すフローチャートである。。
【図５】姓名マスタ判定処理部で実行される具体的な動作経緯を示すフローチャートである。
【図６】暫定かな氏名取得処理部で実行される具体的な動作経緯を示すフローチャートである。
【図７】かなマスタ判定処理部で実行される具体的な動作経緯を示すフローチャートである。
【符号の説明】
【００５２】
１  制御部（ＣＰＵ）
２  記憶部
２（１）  同字テーブル
２（２）  姓名マスタテーブル
２（３）  名乗りテーブル
２（４）  かなマスタテーブル
３  入力部
４  同字再設定処理部
５  姓名マスタ判定処理部
６  暫定かな氏名取得処理部
７  かなマスタ判定処理部
８  表示部
９  出力部
【図１】
2006155213.tif 000003
【図２】
2006155213.tif 000004
【図３】
2006155213.tif 000005
【図４】
2006155213.tif 000006
【図５】
2006155213.tif 000007
【図６】
2006155213.tif 000008
【図７】
2006155213.tif 000009